(57)【要約】【課題】  高信頼かつ低コストな信号入力が可能な表示装置を提供する。【解決手段】  表示部５０と複数の表示ドライバ７を具備する表示装置１０である。表示ドライバ７はデジタル動作部７１と駆動部７３を有する。デジタル動作部７１は、入力信号に含まれるＩＤ信号に基づいて該入力信号の入力対象が当該デジタル動作部７１を有する表示ドライバ７であるか否かを判別する信号判別部を有する。表示ドライバ７は、信号判別部により入力対象が当該表示ドライバ７であると判別された入力信号に含まれる表示データ信号を取り込む。【選択図】    図１
2005326836.tif 000002
【特許請求の範囲】
【請求項１】
表示部と複数の表示ドライバを具備する表示装置において、
前記表示ドライバはデジタル動作部と駆動部を有し、
前記デジタル動作部は、入力信号に含まれる判別信号に基づいて該入力信号の入力対象が当該デジタル動作部を有する表示ドライバであるか否かを判別する信号判別部を有することを特徴とする表示装置。
【請求項２】
前記デジタル動作部は、前記入力信号に含まれるクロック信号又は前記判別信号により同期をとる同期部をさらに有することを特徴とする請求項１に記載の表示装置。
【請求項３】
前記入力信号には表示データ信号が含まれ、
前記表示ドライバは、前記信号判別部により入力対象が当該表示ドライバであると判別された入力信号に含まれる表示データ信号を取り込むことを特徴とする請求項１又は２に記載の表示装置。
【請求項４】
前記表示データ信号はコード化されたデータ信号であり、
前記デジタル動作部は、前記表示データ信号をデコードするデコーダ部をさらに有することを特徴とする請求項３に記載の表示装置。
【請求項５】
前記表示ドライバは、前記信号判別部により入力対象が当該表示ドライバであると判別された入力信号を取り込むことを特徴とする請求項１又は２に記載の表示装置。
【請求項６】
前記デジタル動作部は、入力信号に含まれる初期化信号を検出した場合に前記表示部の初期化設定を行う初期化設定部を有することを特徴とする請求項１乃至５のいずれか一項に記載の表示装置。
【請求項７】
表示部と複数の表示ドライバを具備する表示装置において、
前記表示ドライバはデジタル動作部と駆動部を有し、
前記デジタル動作部は、入力信号に含まれる制御信号を解析し、該制御信号の解析結果に従って前記駆動部を制御することを特徴とする表示装置。
【請求項８】
前記制御信号は判別信号であり、
前記デジタル動作部は、前記判別信号の解析結果に従って、該判別信号を含む入力信号の入力対象が当該デジタル動作部を有する表示ドライバであるか否かを判別することを特徴とする請求項７に記載の表示装置。
【請求項９】
前記制御信号は同期信号であり、
前記デジタル動作部は、前記同期信号を解析し、該同期信号と同期をとることを特徴とする請求項７に記載の表示装置。
【請求項１０】
前記制御信号はコード化された表示データ信号であり、
前記デジタル動作部は、前記表示データ信号の解析結果に従って前記駆動部を制御することを特徴とする請求項７に記載の表示装置。
【請求項１１】
前記制御信号は初期化信号であり、前記デジタル動作部は前記初期化信号の解析結果に従って前記表示部の初期化設定を行うことを特徴とする請求項７に記載の表示装置。
【請求項１２】
複数の前記表示ドライバは相互に直列接続され、前記入力信号は先頭の表示ドライバから順次シリアル転送されることを特徴とする請求項１乃至１１のいずれか一項に記載の表示装置。
【請求項１３】
複数の前記表示ドライバは相互に並列接続され、前記入力信号はそれぞれの表示ドライバに入力されることを特徴とする請求項１乃至１１のいずれか一項に記載の表示装置。
【請求項１４】
前記入力信号は相補型の信号であることを特徴とする請求項１乃至１３のいずれか一項に記載の表示装置。
【請求項１５】
デジタル動作部と駆動部を具備し前記駆動部により表示パネルを駆動する表示ドライバにおいて、
前記デジタル動作部は、入力信号に含まれる判別信号に基づいて該入力信号の入力対象が当該表示ドライバであるか否かを判別する信号判別部を有することを特徴とする表示ドライバ。
【請求項１６】
デジタル動作部と駆動部を具備し、前記駆動部により表示パネルを駆動する表示ドライバにおいて、
前記デジタル動作部は、入力信号に含まれる制御信号を解析し、該制御信号の解析結果に従って前記駆動部を制御することを特徴とする表示ドライバ。
【請求項１７】
デジタル動作部と駆動部を具備する半導体装置にデータを転送するデータ転送方法において、
入力対象が前記半導体装置であるかの判別に用いられる判別信号を含む入力信号を前記デジタル動作部に入力する過程と、
前記デジタル動作部から出力する信号を前記駆動部に入力する過程と、
を有することを特徴とするデータ転送方法。
【請求項１８】
デジタル動作部と駆動部を具備し前記駆動部により表示パネルを駆動する半導体装置にデータを転送するデータ転送方法において、
入力対象が前記半導体装置であるかの判別に用いられる判別信号を含む入力信号を前記デジタル動作部に入力する過程と、
前記デジタル動作部に前記表示パネルに表示する表示データを入力する過程と、
を有することを特徴とするデータ転送方法。
【請求項１９】
前記デジタル動作部に前記表示データを取り込むタイミングを規定する取り込みタイミング信号を前記デジタル動作部に入力する過程をさらに有することを特徴とする請求項１８に記載のデータ転送方法。
【請求項２０】
前記デジタル動作部に入力される入力信号は相補型の信号であることを特徴とする請求項１７乃至１９のいずれか一項に記載のデータ転送方法。
【請求項２１】
複数の前記半導体装置が相互に直列接続され、前記デジタル動作部に入力される前記入力信号は先頭の前記半導体装置から順次シリアル転送されることを特徴とする請求項１７乃至２０のいずれか一項に記載のデータ転送方法。
【発明の詳細な説明】
【技術分野】
【０００１】
本発明は、表示装置、表示ドライバ及びデータ転送方法に関する。
【背景技術】
【０００２】
平面型ディスプレイなどの産業分野において、データドライバＩＣが用いられている。このデータドライバＩＣには、超高集積回路を用いて処理された映像信号が入力される。データドライバＩＣは、入力される映像信号を、表示パネルを駆動する信号に変換するように構成されている。
【０００３】
例として、カラープラズマディスプレイ（以下、カラーＰＤＰと略記）モジュールに用いられているカラーＰＤＰ用データドライバとしては、例えば非特許文献１に示されているものがある。
【０００４】
また、非特許文献１に示されるデータドライバを２５６ｂｉｔ出力４相入力として用いた従来のワイドＸＧＡ（Ｗ−ＸＧＡ；１３６５×７６８画素）カラーＰＤＰモジュール４の構成を図７に示す。
【０００５】
図７に示すように、従来のカラーＰＤＰモジュール４においては、外部から入力される映像信号５に対して、デジタル信号処理ボード１上の超高集積回路では３．３Ｖ以下の低電圧信号を用いた映像信号処理動作をしており、デジタル信号処理ボード１の出力段で５．０Ｖ信号に昇圧してデータドライバ２に送信し、データドライバ２がＰＤＰ５０を駆動している。
【０００６】
データドライバ２は１ライン（１３６５ｐｉｘｅｌｓ）分のデータを同時にプラズマパネルに出力する。このため、Ｗ−ＸＧＡパネルでは１６個（１３６５×３［ＲＧＢそれぞれ１画素］／２５６＝＜１６）の２５６ｂｉｔ出力データドライバ２が必要である。
【０００７】
各データドライバ２は、それぞれ４本の映像入力信号（Ｄａｔａ）と、１本のクロック入力信号（ＣＬＫ）と、１本のラッチイネーブル入力信号（ＬＥ）と、の合計６本の信号線を持つ。このため、デジタル信号処理ボード１からデータドライバ２へと出力される信号線３の数は６×１６＝９６本となる。
【０００８】
ここで、データドライバ２は、レジスタと、電圧を変換（増幅）するレベル変換回路と、高電圧出力バッファと、を備えている。
【０００９】
このデータドライバ２には、転送クロック信号に同期してデジタル信号処理ボード１から転送される映像データ信号が入力される。映像データ信号はデータドライバ２のレジスタに保存され、ラッチイネーブル信号の入力に同期してレベル変換回路に送られる。
【００１０】
データドライバ２に入力される信号は全て５．０Ｖ振幅であり、データドライバ２において、レベル変換回路への入力までの部分（レジスタを含む）が低電圧動作部２１であり、該低電圧動作部２１においては５．０Ｖ振幅で処理される。また、レベル変換回路は、電圧変換部２２であり、５．０Ｖ振幅の信号を７０Ｖ振幅に増幅する。また、データドライバ２において、レベル変換回路以降の部分（高電圧出力バッファを含む）が高電圧動作部２３である。レベル変換回路から出力された高電圧信号は、高電圧出力バッファを介してＰＤＰパネルに出力される。
【非特許文献１】ＭＯＳ集積回路μＰＤ１６３７３，  ２５６／１９２ｂｉｔ切替  ＡＣ−ＰＤＰドライバ，日本電気株式会社，２００１年３月
【発明の開示】
【発明が解決しようとする課題】
【００１１】
しかしながら、上記に説明したデータ転送方法にはいくつかの問題がある。
【００１２】
第一の問題点は、総計９６本の映像データ信号、クロック信号、ラッチイネーブル信号間の位相差が保存できない問題である。
【００１３】
例えば、映像データ信号とクロック信号の位相が異なると、データドライバ２のレジスタにセットされる映像信号が、意図している信号の一つ前、若しくはひとつ後の信号となる。この場合、画素の表示位置がずれることになり異常な映像が表示される。この問題が発生する原因は、高速信号を多数、長距離伝送する必要があることに起因する。
【００１４】
例として、走査周期１μｓのカラーＰＤＰパネルを例にとって説明する。
【００１５】
カラーＰＤＰパネルの走査周期が１μｓであるということは、データドライバが１ラインの映像信号をプラズマパネルに出力する時間が１μｓであることを意味する。１ライン目の映像データをパネルに送出し、１μｓ後に２ライン目の映像データを、さらに１μｓ後に３ライン目の映像データを送出する。このとき、データドライバはデータを１μｓ毎に更新する。例えば、２５６ｂｉｔ、４層入力のデータドライバは、一ライン分のデータを取り込むために６４個の転送クロックが必要である（なぜならば２５６／４＝６４であるため）。このため、１μｓの期間に６４クロック分のデータを取り込むためには、１クロックの期間は１５．６ｎｓ以下、クロック周波数としては、６４ＭＨｚのクロック周波数が必要である。
【００１６】
一方、プラズマディスプレイパネルは大面積フラットパネルであり、５０インチサイズのディスプレイでは左右１ｍ２０ｃｍ程度、上下７０ｃｍ程度の大きさとなる。したがって、総計９６本の高速信号を配線長差が互いに１ｍ程度異なるデータドライバのそれぞれに、ｎｓオーダーの位相差で送信しなければならない。このことは現状の半導体技術では極めて困難である。
【００１７】
また、デジタルボード−データドライバ間のインターフェースがコスト高、信頼性マージン少の要因となっていた。
【００１８】
すなわち、デジタル信号処理ボード１上の信号処理ＬＳＩのピン数、デジタル信号処理ボード１上の信号出力バッファの数、デジタル信号処理ボード１からデータドライバ２までの配線数が多数必要であり（Ｗ−ＸＧＡモジュールで８９系統）コスト高となっていた。また、面積・消費電力共に大きく、動作温度範囲が広いシステムであるため、高電圧動作部からの電源・ＧＮＤを経由したノイズ混入、多ピンであるがためのデータ信号間、データ信号−クロック間スキューによるデータドライバ入力部でのセットアップ／ホールド保障が原理的に困難であり、動作信頼性マージンの劣化をもたらせていた。
【００１９】
第二の問題点は、低電圧入力部への信号が正常に入力されない問題である。この場合も意図しているものと異なる信号がデータドライバ２に入力され、表示映像異常となる。この問題が発生する原因は、高電圧動作部に大電流が流れることにより、電源電位、接地電位にバウンスを生じることに起因する。高電圧動作部の動作電圧は７０Ｖであり、低電圧動作部の動作電圧は５．０Ｖである。カラーＰＤＰモジュールの接地電位はひとつである。高電圧動作部の動作に伴い、接地電位が２Ｖ程度バウンスすると、低電圧動作部の入力閾値が２Ｖ変動してしまい、論理閾値の２．５Ｖに近くなる。このため、５Ｖの信号振幅しかない高電位／低電位（Ｈ／Ｌ）の入力信号が正常にレジスタに取り込まれない問題が生ずる。
【００２０】
本発明は、上記のような問題点を解決するためになされたもので、高信頼かつ低コストな信号入力が可能となる表示装置、表示ドライバ及びデータ転送方法を提供することを目的とする。
【課題を解決するための手段】
【００２１】
上記課題を解決するため、本発明の表示装置は、表示部と複数の表示ドライバを具備する表示装置において、前記表示ドライバはデジタル動作部と駆動部を有し、前記デジタル動作部は、入力信号に含まれる判別信号に基づいて該入力信号の入力対象が当該デジタル動作部を有する表示ドライバであるか否かを判別する信号判別部を有することを特徴としている。
【００２２】
本発明の表示装置においては、前記デジタル動作部は、前記入力信号に含まれるクロック信号又は前記判別信号により同期をとる同期部をさらに有することが好ましい。
【００２３】
本発明の表示装置においては、前記入力信号には表示データ信号が含まれ、前記表示ドライバは、前記信号判別部により入力対象が当該表示ドライバであると判別された入力信号に含まれる表示データ信号を取り込むことが好ましい。
【００２４】
本発明の表示装置においては、前記表示データ信号はコード化されたデータ信号であり、前記デジタル動作部は、前記表示データ信号をデコードするデコーダ部をさらに有することが好ましい。
【００２５】
本発明の表示装置においては、前記表示ドライバは、前記信号判別部により入力対象が当該表示ドライバであると判別された入力信号を取り込むことが好ましい。
【００２６】
本発明の表示装置においては、前記デジタル動作部は、入力信号に含まれる初期化信号を検出した場合に前記表示部の初期化設定を行う初期化設定部を有することが好ましい。
【００２７】
本発明の表示装置は、表示部と複数の表示ドライバを具備する表示装置において、前記表示ドライバはデジタル動作部と駆動部を有し、前記デジタル動作部は、入力信号に含まれる制御信号を解析し、該制御信号の解析結果に従って前記駆動部を制御することを特徴としている。
【００２８】
本発明の表示装置においては、前記制御信号は判別信号であり、前記デジタル動作部は、前記判別信号の解析結果に従って、該判別信号を含む入力信号の入力対象が当該デジタル動作部を有する表示ドライバであるか否かを判別することが好ましい。
【００２９】
本発明の表示装置においては、前記制御信号は同期信号であり、前記デジタル動作部は、前記同期信号を解析し、該同期信号と同期をとることが好ましい。
【００３０】
本発明の表示装置においては、前記制御信号はコード化された表示データ信号であり、前記デジタル動作部は、前記表示データ信号の解析結果に従って前記駆動部を制御することが好ましい。
【００３１】
本発明の表示装置においては、前記制御信号は初期化信号であり、前記デジタル動作部は前記初期化信号の解析結果に従って前記表示部の初期化設定を行うことが好ましい。
【００３２】
本発明の表示装置においては、複数の前記表示ドライバは相互に直列接続され、前記入力信号は先頭の表示ドライバから順次シリアル転送されることが好ましい。
【００３３】
本発明の表示装置においては、複数の前記表示ドライバは相互に並列接続され、前記入力信号はそれぞれの表示ドライバに入力されることが好ましい。
【００３４】
本発明の表示装置においては、前記入力信号は相補型の信号であることが好ましい。
【００３５】
本発明の表示ドライバは、デジタル動作部と駆動部を具備し前記駆動部により表示パネルを駆動する表示ドライバにおいて、前記デジタル動作部は、入力信号に含まれる判別信号に基づいて該入力信号の入力対象が当該表示ドライバであるか否かを判別する信号判別部を有することを特徴としている。
【００３６】
本発明の表示ドライバは、デジタル動作部と駆動部を具備し、前記駆動部により表示パネルを駆動する表示ドライバにおいて、前記デジタル動作部は、入力信号に含まれる制御信号を解析し、該制御信号の解析結果に従って前記駆動部を制御することを特徴としている。
【００３７】
本発明のデータ転送方法は、デジタル動作部と駆動部を具備する半導体装置にデータを転送するデータ転送方法において、入力対象が前記半導体装置であるかの判別に用いられる判別信号を含む入力信号を前記デジタル動作部に入力する過程と、前記デジタル動作部から出力する信号を前記駆動部に入力する過程と、を有することを特徴としている。
【００３８】
本発明のデータ転送方法は、デジタル動作部と駆動部を具備し前記駆動部により表示パネルを駆動する半導体装置にデータを転送するデータ転送方法において、入力対象が前記半導体装置であるかの判別に用いられる判別信号を含む入力信号を前記デジタル動作部に入力する過程と、前記デジタル動作部に前記表示パネルに表示する表示データを入力する過程と、を有することを特徴としている。
【００３９】
本発明のデータ転送方法においては、前記デジタル動作部に前記表示データを取り込むタイミングを規定する取り込みタイミング信号を前記デジタル動作部に入力する過程をさらに有することが好ましい。
【００４０】
本発明のデータ転送方法においては、前記デジタル動作部に入力される入力信号は相補型の信号であることが好ましい。
【００４１】
本発明のデータ転送方法においては、複数の前記半導体装置が相互に直列接続され、前記デジタル動作部に入力される前記入力信号は先頭の前記半導体装置から順次シリアル転送されることが好ましい。
【発明の効果】
【００４２】
本発明によれば、デジタル動作部は、入力信号に含まれる判別信号に基づいて該入力信号の入力対象が当該デジタル動作部を有する表示ドライバであるか否かを判別する信号判別部を有するので、信号間位相差が誤動作の原因となるような機構を原理的に排除することができる。この結果、映像データ信号とクロック信号の位相差による映像異常問題は原理的に起こらない。
【００４３】
また、デジタル動作部への入力信号を相補型信号とすることにより、接地電位バウンスの影響を排除することができる。すなわち、駆動部の動作による接地電位のバウンスは、ひとつの半導体装置（例えば表示ドライバ）では全ての信号に同タイミングで生ずる同相ノイズである。このため、デジタル動作部への入力信号を相補信号化することにより、同相ノイズの影響は原理的に排除することができる。
【００４４】
これらの効果により、誤動作頻度が減少し、データ転送の高信頼性化が実現する。
【００４５】
よって、デジタル動作部と駆動部を備えるシステム（例えばカラーＰＤＰモジュール）において、データ転送の高品質化と共にコストダウンを実現することができる。
【００４６】
また、本発明によれば、デジタル動作部は、入力信号に含まれる制御信号を解析し、該制御信号の解析結果に従って駆動部を制御するので、高信頼かつ低コストなデータ転送を実現することができる。
【発明を実施するための最良の形態】
【００４７】
以下、図面を参照して、本発明に係る実施形態について説明する。
【００４８】
〔第１の実施形態〕
本発明の実施形態について、図面を参照して説明する。ここではＷ−ＸＧＡ対応のカラーＰＤＰモジュールを例にとって説明する。
【００４９】
図１は、本発明の第１の実施形態に係るデータ転送方法を適用したＰＤＰモジュール（例えば、Ｗ−ＸＧＡ  ＰＤＰモジュール）９の全体構成を示す模式図である。
【００５０】
図１に示すように、ＰＤＰモジュール９は、デジタル信号処理ボード６と、複数個（例えば１６個）のデータドライバ（表示ドライバ、半導体装置）７と、ＰＤＰパネル（表示部）５０と、を備えている。
【００５１】
このＰＤＰモジュール９においては、外部（ＴＶセットやモニタ側）から入力される映像信号５に対して、デジタル信号処理ボード６にて、ＰＤＰモジュール９に必要なサブフィールドコーディングなどの信号処理を施した後、該映像信号５を、データドライバインターフェースに入力する信号並びに変換した映像信号として、データドライバ接続信号線８を介してデータドライバ（例えば、２５６ｂデータドライバ）７に入力する。
【００５２】
すなわち、データドライバ７には、転送クロック信号に同期してデジタル信号処理ボード６から転送される映像データ信号（入力信号）が入力される。
【００５３】
ここで、データドライバ７は、以下に説明するように、動作電圧が比較的低電圧の論理回路の低電圧動作部（デジタル動作部）７１と、低電圧の信号を高電圧の信号に変換する電圧変換部７２と、動作電圧が比較的高電圧で、ＰＤＰパネルを駆動する高電圧動作部（駆動部）７２と、を備えている。
【００５４】
すなわち、データドライバ７は、レジスタと、電圧を変換（増幅）するレベル変換回路と、高電圧出力バッファと、を備えている。そして、データドライバ７に入力される映像データ信号はデータドライバ７のレジスタに保存され、ラッチイネーブル信号の入力に同期してレベル変換回路に送られる。ここで、データドライバ７に入力される信号は、例えば全て５．０Ｖ振幅であり、データドライバ７において、レベル変換回路への入力までの部分（レジスタを含む）が低電圧動作部７１であり、該低電圧動作部７１においては５．０Ｖ振幅で処理される。
【００５５】
また、レベル変換回路は、電圧変換部７２を構成し、５．０Ｖ振幅の信号を７０Ｖ振幅に増幅する。
【００５６】
また、データドライバ７において、レベル変換回路以降の部分（高電圧出力バッファを含む）が高電圧動作部７３である。レベル変換回路から出力された高電圧信号は、高電圧出力バッファを介してＰＤＰパネル（図３の符号５０参照）に出力される。
【００５７】
ここで、各データドライバ７は、相互に直列に接続されている。そして、デジタル信号処理ボード６からの映像信号は、１６個のデータドライバ７のうち、図１における最左端のデータドライバ７（先頭の表示ドライバ、先頭の半導体装置）に入力され、順次、データドライバ７間を最右端のデータドライバ７までシリアル転送されるようになっている。このように転送することにより、各サブフィールドごとに１ライン分のデータがデータドライバ７の低電圧動作部７１に転送される。
【００５８】
データドライバ７は非特許文献１におけるのと同様のインターフェースを有し、ラッチイネーブル信号（ＬＥ）の入力タイミングで高電圧動作部７３からＰＤＰパネル５０のデータ電極に信号を出力する。
【００５９】
次に、図２に、デジタル信号処理ボード６から出力され、データドライバ接続信号線８を介してデータドライバ７に入力される映像信号データの形式を示す。
【００６０】
本実施形態の場合、例えば、図２（Ａ）に示すように、基本データ形式は先頭から順に、「初期化信号、ＩＤ信号（判別信号）、クロック信号、表示データ信号」となっており、以後は、初期化信号を除く「ＩＤ信号、クロック信号、表示データ信号」をこの順で繰り返し備えているような形式となっている。
【００６１】
なお、初期化信号は、ＰＤＰモジュール９を起動するときにのみ用いる信号である。
【００６２】
ここで、ＰＤＰモジュール９は通常１フレームに１回以上のプライミング放電を行う機能を有しているが、起動時には、例えば特開２０００−２００２１号公報に記載されているように、通常のプライミング放電を実行するためのプライミングパルスよりも高い電圧のパルス又はパルス幅の長いパルスによりプライミング放電を所定のフレーム数実行することにより初期化設定を行う。
【００６３】
すなわち、このように初期化設定を行う場合、低電圧動作部７１は、入力信号に含まれる初期化信号を検出した場合にＰＤＰパネル５０の初期化設定を行う初期化設定部を有し、該初期化設定部により上記のように初期化設定を行う。
【００６４】
なお、初期化信号は、図２（Ｂ）に示すように、ＩＤ信号に含めることもできる。この場合、低電圧動作部７１は、初期化信号を含むＩＤ信号を受けると、上記同様に初期化設定を行う。
【００６５】
また、ＩＤ信号には、映像信号が複数のデータドライバ７のうちのどのデータドライバ７向けのデータであるのかを示す情報が含まれている。
【００６６】
データドライバ７の低電圧動作部７１は、入力信号に含まれるＩＤ信号を検出し、該検出したＩＤ信号に基づき、該ＩＤ信号を含む入力信号の入力対象が、当該低電圧動作部７１を有するデータドライバ７であるかどうかを判別する信号判別部を有する。
【００６７】
低電圧動作部７１は、入力信号の入力対象が自分自身を有するデータドライバ７であると（該低電圧動作部７１の信号判別部が）判別した場合に、入力信号に含まれる表示データを所定数だけ取り込む。
【００６８】
また、低電圧動作部７１は、取り込んだ表示データを電圧変換部７２を介して高電圧動作部７３に転送し、入力信号に応じて高電圧動作部７３を駆動し、ＰＤＰパネル５０に表示動作を行わせる。
【００６９】
一方で、入力信号の入力対象が自分自身を有するデータドライバ７ではなかった場合には、低電圧動作部７１は、その入力信号をスルーして次段の表示ドライバ７の低電圧動作部７１に転送する。
【００７０】
ここで、入力信号をスルーして転送することにより消費電力を抑制することができる。また、電圧変換部７２及び高電圧動作部７３は全く動作しないため、その分の消費電力も抑制することができる。
【００７１】
また、クロック信号は位相差、例えばクロック半分ずれると同期がずれる可能性があるため、その同期を所定精度内に調整するためのものである。
【００７２】
低電圧動作部７１は、入力信号に含まれるクロック信号を検出し、そのクロック信号により同期をとる同期部をさらに有する。
【００７３】
なお、ＩＤ信号はクロック信号よりは同期精度が悪いが同期を取ることが可能な程度の信号である。そこで、クロック信号の代わりとなる同期信号（取り込みタイミング信号）をＩＤ信号に含めることにしても良い。この場合、同期部はこの同期信号を検出し、該検出した同期信号により同期をとる。
【００７４】
表示データ信号は例えば２５６ビット（１つのデータドライバ７が分担するデータ容量）を１データ転送単位とする。
【００７５】
１ラインが例えば４０９６ドットとすると「ＩＤ信号＋クロック信号＋表示データ信号」を１６回転送することにより１ラインデータを転送することができる。
【００７６】
なお、データドライバ接続信号線８を介してデータドライバ７（の低圧回路部）に入力される全ての信号は論理肯定信号（Ｄ）及び論理否定信号（ＤＢ）で構成される相補型信号であり、且つ、転送プロトコルが定義され、信号は制御信号と表示データ信号から構成される。
【００７７】
ここで、表示データ信号はコード化されている場合もある。この場合、低電圧動作部７１は表示データ信号をデコードするデコーダ部を有する。デコーダ部は表示データ信号をデコードし、電圧変換部７２を介して高電圧動作部７３に転送する。このように表示信号をコード化して転送することにより低電圧動作部７１の動作時間を短縮し、消費電力をさらに抑制することができる。
【００７８】
図１及び図２に示した例では、始めに、デジタル信号処理ボード６が、カラーＰＤＰモジュールが表示を開始する最初に初期化信号を各データドライバ７に転送し、これにより、各データドライバ７は起動モードに設定される（初期化設定）。
【００７９】
起動モードに設定されると、それ以降の所定数のフィールドのプライミングパルスには初期化のプライミングパルス（例えば通常のプライミングパルスよりも高い電圧のパルス）が採用される。所定のフィールド数経過後は自動的に通常モードになる。
【００８０】
次に、各データドライバ７のＩＤ信号（１６個のデータドライバ７のうち、どのデータドライバ７向けの映像信号かを特定する信号）と共にクロック信号、表示データ信号を転送する。
【００８１】
各データドライバ７は、それぞれに予め設定された自己のＩＤ番号に対応するＩＤ信号が転送された場合、次に来るクロック信号の周期で表示データ信号（映像信号）を取り込む。そして、表示データ信号を２５６ｂｉｔ分取り込んだ時点で、転送されたＩＤ信号に対応するデータドライバ７（例えば、先頭の（最左端の）データドライバ７）は映像信号の取り込みを終了する。
【００８２】
デジタル信号処理ボード６は、次に映像を転送するデータドライバ７に設定されたＩＤ番号をデータドライバ７に転送し、続いてクロック信号、表示データ信号を転送する。これにより、次のデータドライバ７（例えば、左から２番目のデータドライバ７）への表示データ信号の取り込みが開始される。
【００８３】
このような動作は、全データドライバ７に映像信号が転送されるまで継続され、全データドライバ７に映像信号が転送された時点、すなわち、例えば１６番目のデータドライバ７でも映像信号の取り込みが終了した時点で、特殊なＩＤ信号を転送し、全データドライバ７にラッチイネーブル動作を行わせ、１ライン分の映像信号をデータドライバ７からＰＤＰパネルに出力する。なお、ここでは、上記したような特殊なＩＤ信号を用いても良いし、或いは、予め最後のデータドライバ７が分かっていれば、通常のＩＤ信号でも判断できる。
【００８４】
その後は、デジタル信号処理ボード６は、上記の処理から初期化信号の転送を除く処理により、同様に、２ライン目、３ライン目、と順次、全７６８ラインの映像信号をデータドライバ７に転送し、ひとつのサブフィールドの表示動作がなされる。
【００８５】
また、次のサブフィールド、さらに次のフィールドの表示方法も、上記の処理から初期化設定を除く処理を行うことにより、引き続き行う。
【００８６】
以上のように、データドライバ７に入力される入力信号に制御信号を付加し、この制御信号に対応する機能をデータドライバ７に設けることにより、高速、正確、低消費電力のデータ転送を実現することができる。すなわち、映像信号に、制御信号としてＩＤ信号、同期信号、初期化信号を含めることにより、上記のような効果を奏することができる。
【００８７】
次に、図３は、本実施形態に係るプラズマ表示装置（平面型表示装置としてのプラズマ表示装置）１０を示すブロック図である。
【００８８】
図３に示すように、本実施形態に係るプラズマ表示装置１０は、モジュール構造を有するものとして設計されており、具体的には、アナログインターフェース２０とプラズマディスプレイパネルモジュール３０とから構成されている。
【００８９】
アナログインターフェース２０は、クロマ・デコーダを備えるＹ／Ｃ分離回路２１と、Ａ／Ｄ変換回路２２と、ＰＬＬ回路を備える同期信号制御回路２３と、画像フォーマット変換回路２４と、逆γ（ガンマ）変換回路２５と、システム・コントロール回路２６と、から構成されている。
【００９０】
概略的には、アナログインターフェース２０は、受信したアナログ映像信号をデジタル映像信号に変換した後、そのデジタル映像信号をプラズマディスプレイパネルモジュール３０に供給する。
【００９１】
例えば、テレビチューナーから発信されたアナログ映像信号はＹ／Ｃ分離回路２１においてＲＧＢの各色の輝度信号に分解された後、Ａ／Ｄ変換回路２２においてデジタル信号に変換される。
【００９２】
その後、プラズマディスプレイパネルモジュール３０の画素構成と映像信号の画素構成が異なる場合には、画像フォーマット変換回路２４において必要な画像フォーマットの変換が行われる。
【００９３】
プラズマディスプレイパネルの入力信号に対する表示輝度の特性は線形的に比例するが、通常の映像信号はＣＲＴの特性に合わせて、予め補正（γ変換）されている。このため、Ａ／Ｄ変換回路２２において映像信号のＡ／Ｄ変換を行った後、逆γ変換回路２５において、映像信号に対して逆γ変換を施し、線形特性に復元されたデジタル映像信号を生成する。このデジタル映像信号はＲＧＢ映像信号としてプラズマディスプレイパネルモジュール３０に出力される。
【００９４】
アナログ映像信号には、Ａ／Ｄ変換用のサンプリングクロック及びデータクロック信号が含まれていないため、同期信号制御回路２３が、アナログ映像信号と同時に供給される水平同期信号を基準として、サンプリングクロック及びデータクロック信号を生成し、プラズマディスプレイパネルモジュール３０に出力する。
【００９５】
システム・コントロール回路２６は、各種制御信号をプラズマディスプレイパネルモジュール３０に対して出力する。
【００９６】
プラズマディスプレイパネルモジュール３０は、デジタル信号処理・制御回路３１と、パネル部３２と、から構成されている。
【００９７】
デジタル信号処理・制御回路３１は、入力インターフェース信号処理回路３４と、フレームメモリ３５と、メモリ制御回路３６と、ドライバ制御回路３７と、から構成されている。
【００９８】
入力インターフェース信号処理回路３４は、システム・コントロール回路２６から発信される各種制御信号、逆γ変換回路２５から発信されるＲＧＢ映像信号、同期信号制御回路２３から発信される同期信号、ＰＬＬ回路から発信されるデータクロック信号を受信する。
【００９９】
デジタル信号処理・制御回路３１は、入力インターフェース信号処理回路３４において、これらの各種信号を処理した後、制御信号をパネル部３２に送信する。同時に、メモリ制御回路３６及びドライバ制御回路３７はメモリ制御信号及びドライバ制御信号をパネル部３２に送信する。
【０１００】
パネル部３２は、ＰＤＰパネル５０と、走査電極を駆動する走査ドライバ３８と、データ電極を駆動するデータドライバ３９（データドライバ３９は、複数のデータドライバ７を含む総称とする）と、ＰＤＰパネル５０及び走査ドライバ３８にパルス電圧を供給する高圧パルス回路４０と、から構成されている。
【０１０１】
ＰＤＰパネル５０は１３６５個×７６８個に配列された画素を有するものとして構成されている。ＰＤＰパネル５０においては、走査ドライバ３８が走査電極を制御し、データドライバ３９がデータ電極を制御することにより、これらの画素のうちの所定の画素の点灯または非点灯が制御され、所望の表示が行われる。
【０１０２】
以上のような第１の実施形態によれば、データドライバ７への入力信号（映像信号）として、複数のデータドライバ７のうちの何れが入力対象のデータドライバ７であるか否かを判別するためのＩＤ信号を含む信号を用い、入力対象が当該データドライバ７であると判別されると、当該データドライバはＩＤ信号に続くクロック信号又はＩＤ信号に含まれる同期信号によりあらためて同期調整するので、信号間位相差が誤動作の原因となるような機構を原理的に排除することができる。この結果、映像データ信号とクロック信号の位相差による映像異常問題は原理的に起こらないようにすることができる。
【０１０３】
また、データドライバ７の低電圧動作部７１への入力信号を相補型信号とするので、接地電位バウンスの影響を排除することができる。すなわち、高電圧動作部の動作による接地電位のバウンスは、ひとつのデータドライバ７では全ての信号に同タイミングで生ずる同相ノイズである。このため、データドライバ７への入力信号を相補信号化することにより、同相ノイズの影響は原理的に排除することができる。
【０１０４】
これらの効果により、誤動作頻度が減少し、データ転送の高信頼性化が実現する。
【０１０５】
よって、カラーＰＤＰモジュールにおいて、データ転送の高品質化と共にコストダウンを実現することができる。
【０１０６】
また、近年の半導体技術の進展はめざましく、０．１３μｍＣＭＯＳプロセスでは２ＧＨｚを超えるデータ転送ＩＦが実現されている。この技術を利用し、上記の実施形態のように各データドライバ７をカスケード接続した構成をとることにより、以下の効果が得られる。
【０１０７】
１）  デジタル映像信号処理ボード６とデータドライバ７間の接続信号線数が低減できる。
【０１０８】
２）  高速シリアルなプロトコル的データ転送、相補型信号構成をとることにより、映像データ、クロック、ＬＥ信号間のスキュー・高圧信号ノイズ体制が飛躍的に向上する。
【０１０９】
〔第２の実施形態〕
図４は、第２の実施形態の場合において、図１のデータドライバ接続信号線８に流れる映像信号データの形式を示す図である。
【０１１０】
図４（Ａ）は図２（Ａ）のデータ形式からクロック信号を削除した信号であり、図４（Ｂ）は図２（Ｂ）のデータ形式からクロック信号を削除した信号である。
【０１１１】
ここで、クロック信号の周期は、上記の第１の実施形態の場合には位相ロックループ（ＰＬＬ；Ｐｈａｓｅ  Ｌｏｃｋ  Ｌｏｏｐ）回路や遅延ロックループ（ＤＬＬ；Ｄｅｌａｙ  Ｌｏｃｋ  Ｌｏｏｐ）回路を用いることにより実現することができ、第２の実施形態の場合には、通常回路的に発信周期を固定された自走式ＰＬＬや自走式ＤＬＬを用いることにより実現することができる。
【０１１２】
第２の実施形態によれば、クロック信号の周期を予めデータドライバ７に設定しておき、該設定されたクロック周波数で各データドライバ７にて入力信号を取り込むことにより、クロック信号の転送を省略することができる。
【０１１３】
或いは、ＩＤ信号や表示データ信号の極性反転位置で同期を調整することができる。
【０１１４】
〔第３の実施形態〕
本実施形態では、１つのデータドライバ７に対応する表示データが全黒又は全白の場合、表示データの代わりに全黒又は全白のコード信号をデジタル信号処理ボード６からデータドライバ７に転送する例について説明する。
【０１１５】
本実施形態の場合、低電圧動作部７１は、コード信号をデコードし、表示データに変換するデコーダ部を備える。
【０１１６】
本実施形態によれば、１つのデータドライバ７に対応する表示データが全黒又は全白の場合、表示データの代わりに全黒又は全白のコード信号を転送するので、２５６ｂｉｔ分の全データを受ける場合よりも低電圧動作部７１の動作時間を短縮できる。よって、消費電力を低減することができる。
【０１１７】
また、デコードした表示データが全黒であった場合には全黒である旨を指示する全黒指示信号を低電圧動作部７１から高電圧動作部７３に送信する一方で、デコードした表示データが全白であった場合には全白である旨を指示する全白指示信号を低電圧動作部７１から高電圧動作部７３に送信するようにすることにより、電圧変換部７２の消費電力も抑制することができる。
【０１１８】
なお、上記の各実施形態においては、各データドライバ７を相互に直列に接続し、入力信号をシリアル転送する例を説明したが、本発明は、この例に限らず、各データドライバ７を相互に並列に接続し（従来の図７参照）、入力信号（図２、図４）をそれぞれのデータドライバ７に入力するようにしても良い。
【０１１９】
〔第４の実施形態〕
本実施形態は液晶モジュールを例にとって図５により説明する。図１と同様にＷ−ＸＧＡ対応の液晶モジュールとする。
【０１２０】
図５に示すように、第４の実施形態に係る液晶モジュール１０９は、デジタル信号処理ボード１０６と、複数個のデータドライバ（表示ドライバ、半導体装置）１０７と、液晶パネル（表示部）１５０を備えている。
【０１２１】
このうちデジタル信号処理ボード１０６には、外部から映像信号１０５が入力される。
【０１２２】
ここで、映像信号１０５は、１画素の信号がＲ，Ｇ，Ｂ各信号から構成され、デジタル信号処理ボード１０６には、Ｒ，Ｇ，Ｂそれぞれの映像信号がパラレルに入力される。
【０１２３】
デジタル信号処理ボード１０６では、入力される映像信号を画素配列の順にＲの第１画素、Ｇの第１画素、Ｂの第１画素、Ｒの第２画素、Ｇの第２画素、Ｂの第２画素、・・・のように並べ替える。
【０１２４】
液晶表示は階層表示のためにＰＤＰのようなサブフィールド法は用いない。
【０１２５】
液晶表示は液晶に印加する電圧を変化させることにより階調表示を実現する。そこで、２５６階調表示するため、１画素をＲ，Ｇ，Ｂ各８ビットのデータにより表示する。
【０１２６】
従って、デジタル信号処理ボード１０６から出力される映像データ信号は、画素配列の順にＲの第１画素の８ビット映像信号、Ｇの第１画素の８ビット映像信号、Ｂの第１画素の８ビット映像信号、Ｒの第２画素の８ビット映像信号、・・・のようにデータドライバインターフェースに入力する信号並びに変換した映像信号として、データドライバ接続信号線１０８を介してデータドライバ１０７に入力する。
【０１２７】
すなわち、データドライバ１０７には、転送クロック信号に同期してデジタル信号処理ボード１０６から転送される映像データ信号（入力信号）が入力される。
【０１２８】
データドライバ１０７は、以下に説明するように、動作電圧が比較的低電圧の論理回路のデジタル動作部１７１と、デジタル信号をアナログ信号に変換するＤ／Ａ変換部１７２と、ＴＦＴ液晶パネルを駆動する駆動部２７３と、を備えている。
【０１２９】
データドライバ１０７に入力される映像データ信号はデータドライバ１０７のレジスタに保存され、ラッチイネーブル信号の入力に同期してＤ／Ａ変換部に送られる。ここで、データドライバ１０７に入力される信号は、第１の実施形態と同様に、例えば全て５．０Ｖ振幅であり、データドライバ１０７において、Ｄ／Ａ変換部への入力までの部分が低電圧動作するデジタル動作部１７１であり、該デジタル動作部１７１においては５．０Ｖ振幅で処理される。
【０１３０】
Ｄ／Ａ変換部１７２は、５．０Ｖ振幅の２５６階調の８ビットデジタル信号を例えば０〜１２Ｖのアナログ信号に変換する。Ｄ／Ａ変換部１７２から出力されたアナログ信号は、駆動部１７３を介してＴＦＴ液晶パネル１５０に出力される。駆動部１７３はバッファ回路としての役割と出力制御としての役割を果たす。駆動部１７３から出力される信号の電圧により液晶の透過率が制御され、映像信号に対応した表示が実現される。
【０１３１】
ここで、各データドライバ１０７は、第１の実施形態と同様に相互に直列に接続されている。
【０１３２】
デジタル動作部１７１の構成は第１の実施形態と同様であるため説明を省略する。また、その動作も第１の実施形態の図２と同様であるため説明を省略する。ただし、ＴＦＴ液晶パネルにおいてはＰＤＰのような初期化設定は不要であるため、図２（Ａ）の初期化信号は省くことができる。
【０１３３】
第１の実施形態と同様に、ＩＤ信号には、映像信号が複数のデータドライバ１０７のうちのどのデータドライバ１０７向けのデータであるのかを示す情報が含まれている。データドライバ１０７のデジタル動作部１７１は、入力信号に含まれるＩＤ信号を検出し、該検出したＩＤ信号に基づき、該ＩＤ信号を含む入力信号の入力対象が、当該デジタル動作部１７１を有するデータドライバ１０７であるかどうかを判別する信号判別部を備える。
【０１３４】
デジタル動作部１７１は、入力信号の入力対象が自分自身を有するデータドライバ１０７であると判別した場合に、入力信号に含まれる表示データを所定数だけ取り込む。
【０１３５】
また、デジタル動作部１７１は、取り込んだ表示データをＤ／Ａ変換部１７２を介して駆動部１７３に転送し、入力信号に応じてアナログ電圧をＴＦＴパネルに印加し、ＴＦＴ液晶パネル１５０に表示動作を行わせる。
【０１３６】
一方で、入力信号の入力対象が自分自身を有するデータドライバ１０７ではなかった場合には、デジタル動作部１７１は、その入力信号をスルーして次段の表示ドライバ１０７の低電圧動作部１７１に転送する。
【０１３７】
また低電圧動作部１７１は入力信号に含まれるクロック信号を検出し、そのクロック信号により同期をとる同期部をさらに有する。
【０１３８】
表示データ信号は第１の実施形態と異なり階調データになっている。ある色の表示素子、すなわちＲ，Ｇ，Ｂの何れかの色の１素子のデータは２５６階調の場合８ビットである。そこで、２５６素子の表示データを１データ転送単位とすると、８×２５６ビット（１つのデータドライバ１０７が分担するデータ容量）を１データ転送単位とする。
【０１３９】
データドライバ接続信号線１０８を介してデータドライバ１０７に入力される全ての信号は論理肯定信号（Ｄ）及び論理否定信号（ＤＢ）で構成される相補型信号であり、且つ、転送プロトコルが定義され、信号は制御信号と表示データ信号から構成される。
【０１４０】
以上のように、第４の実施形態においても、データドライバ１０７に入力される入力信号に制御信号を付加し、この制御信号に対応する機能をデータドライバ１０７に設けることにより、高速、正確、低消費電力のデータ転送を実現することができる。すなわち、映像信号に、制御信号としてＩＤ信号、同期信号、初期化信号を含めることにより、上記のような効果を奏することができる。
【０１４１】
〔第５の実施形態〕
本実施形態はＴＦＴ有機ＥＬモジュールを例にとって図６により説明する。有機ＥＬは電圧駆動と電流駆動があるが、電圧駆動の場合は第４の実施形態と同様の構成になるため、ここでは電流駆動の場合について説明する。図１と同様にＷ−ＸＧＡ対応の有機ＥＬモジュールとする。
【０１４２】
図６に示すように、ＴＦＴ有機ＥＬ液晶モジュール２０９は、映像信号２０５が入力されるデジタル信号処理ボード２０６と、デジタル信号処理ボード２０６による処理後の映像信号がデータドライバ接続信号線１０８を介して入力される複数個のデータドライバ２０７と、これらデータドライバ２０７により駆動されるＴＦＴ有機ＥＬパネル（表示部）２５０を備えている。
【０１４３】
各データドライバ２０７は、デジタル動作部２７２と、電流変換部２７２と、駆動部２７３と、を備えている。
【０１４４】
図５との違いは図５においてはＤ／Ａ変換部１７２であった部分が電流変換部２７２になっている点のみである。動作も同様であるので説明を省略する。
【０１４５】
このような第５の実施形態によれば、第１、第４の実施形態と同様の効果を得ることができる。
【産業上の利用可能性】
【０１４６】
本発明に係るデータ転送方法は、プラズマ表示装置、液晶表示装置、有機エレクトロルミネセンス表示装置などの平面型ディスプレイへの適応を主な目的とするが、相互に異なる２種類以上の電圧で動作する動作部（低電圧動作部及び高電圧動作部）を備える半導体装置を含む各種装置において、大規模な物理空間を高速にデータ転送するシステムや、高電圧動作による電源・グランドバウンスが動作上の問題を引き起こす系においても同様に適用することができる。
【図面の簡単な説明】
【０１４７】
【図１】本発明の第１の実施形態に係るデータ転送方法を説明するためのプラズマディスプレイモジュールの構成を示す図である。
【図２】第１の実施形態の場合の映像信号データの形式を示す図である。
【図３】本発明の実施形態に係る表示装置の一例を示すブロック図である。
【図４】第２の実施形態の場合の映像信号データの形式を示す図である。
【図５】本発明の第４の実施形態に係るデータ転送方法を説明するためのＴＦＴ液晶モジュールの構成を示す図である。
【図６】本発明の第５の実施形態に係るデータ転送方法を説明するためのＴＦＴ有機ＥＬモジュールの構成を示す図である。
【図７】従来のデータ転送方法を説明するためのプラズマディスプレイモジュールの構成を示すブロック図である。
【符号の説明】
【０１４８】
６      デジタル信号処理ボード
７      データドライバ（表示ドライバ、半導体装置）
７１    低電圧動作部（デジタル動作部）
７２    電圧変換部
７３    高電圧動作部（駆動部）
８      データドライバ接続信号線
９      ＰＤＰモジュール
５０    ＰＤＰパネル（表示部）
１０    プラズマ表示装置（表示装置）
１０６  デジタル信号処理ボード
１０７  データドライバ（表示ドライバ、半導体装置）
１７１  デジタル動作部
１７３  駆動部
１５０  ＴＦＴ液晶パネル（表示部）
１０８  データドライバ接続信号線
１０９  ＴＦＴ液晶モジュール
２０６  デジタル信号処理ボード
２０７  データドライバ（表示ドライバ、半導体装置）
２７１  デジタル動作部
２７３  駆動部
２５０  ＴＦＴ有機ＥＬパネル（表示部）
２０８  データドライバ接続信号線
２０９  ＴＦＴ液晶モジュール
【図１】
2005326836.tif 000003
【図２】
2005326836.tif 000004
【図３】
2005326836.tif 000005
【図４】
2005326836.tif 000006
【図５】
2005326836.tif 000007
【図６】
2005326836.tif 000008
【図７】
2005326836.tif 000009